(57)【要約】【課題】各電線に流れる電流がバランスするように各電線のインピーダンスを整合させ各電線に流れる電流のアンバランスを抑制できる電線インピーダンス整合装置を得ることである。【解決手段】電線インピーダンス整合装置は、ｎ（ｎ＝２、３、４、…）条の電線の１条めの電線からｎ条めの電線にそれぞれ形成された巻線と、閉じた鉄心とを有し、閉じた鉄心は、ｉ（ｉ＝１、２、…ｎ−１）条めの電線と（ｉ＋１）条めの電線とに対して設けられる。そして、ｉ条めの電線の第ｉ巻線を巻回するとともに、ｉ条めの電線の第ｉ巻線による磁束を打ち消す方向に、（ｉ＋１）条めの電線の第（ｉ＋１）巻線を巻回する。【選択図】  図１
2014230316.tif 000002
【特許請求の範囲】
【請求項１】
ｎ（ｎ＝２、３、４、…）条の電線の１条めの電線からｎ条めの電線にそれぞれ形成された巻線と、
ｉ（ｉ＝１、２、…ｎ−１）条めの電線と（ｉ＋１）条めの電線とに対して設けられ、前記ｉ条めの電線の第ｉ巻線を巻回するとともに、前記ｉ条めの電線の第ｉ巻線による磁束を打ち消す方向に前記（ｉ＋１）条めの電線の第（ｉ＋１）巻線を巻回する閉じた鉄心とを備えたことを特徴とする電線インピーダンス整合装置。
【請求項２】
１条めの電線及びｎ条めの電線に対して閉じた鉄心を設け、その鉄心に、前記１条めの電線の第１巻線を巻回するとともに、前記第１巻線による磁束を打ち消す方向に前記ｎ条めの電線の第ｎ巻線を巻回することを特徴とする請求項１記載の電線インピーダンス整合装置。
【請求項３】
前記ｉ条めの電線と前記（ｉ＋１）条めの電線とが同じ電流容量であるときは、前記ｉ巻線の巻数と前記第（ｉ＋１）巻線の巻数とは同じ巻数で、かつ、前記ｉ条めの電線の電流と前記（ｉ＋１）条めの電線の電流とが実用的に等しくなる巻数としたことを特徴とする請求項１記載の電線インピーダンス整合装置。
【請求項４】
前記ｉ条めの電線と前記（ｉ＋１）条めの電線とが異なる電流容量であるときは、前記第ｉ巻線の巻数と前記第（ｉ＋１）巻線の巻数とは前記電流容量に反比例した巻数比率で、かつ、前記ｉ条めの電線の電流と前記（ｉ＋１）条めの電線の電流とが実用的に等しくなる巻数としたことを特徴とする請求項１記載の電線インピーダンス整合装置。
【請求項５】
中央部に貫通孔を有し前記貫通孔を貫通した電線の電流により磁気回路を形成する閉じた鉄心を設け、
ｎ（ｎ＝２、３、４、…）条の電線の２つの電線の組合せｎＣ２のうちから必ずｎ条の各条の電線を含む少なくともｎ−１個の組合せを選択し、選択した２つの電線を組にして前記２つの電線の電流により発生する磁束が互いに打ち消される方向にそれぞれ組ごとに別々の前記鉄心の貫通孔に貫通させることを特徴とする電線インピーダンス整合装置。
【発明の詳細な説明】
【技術分野】
【０００１】
本発明は、多条敷設の電線の各電線のインピーダンスを整合させる電線インピーダンス整合装置に関する。
【背景技術】
【０００２】
低圧大容量の電路では、一般にバスダクトなどが使用される。また、バスダクトに代えて施工性や省コストの面から低圧ケーブル（電線）を多条敷設する場合がある（例えば、特許文献１参照）。この場合、多条の各電線に均等に電流が分布したとして許容電流を算出するが、実際は電路の配置や接触抵抗の違いから負荷電流が各条の電線に均等に分布せず、特定の条の電線に負荷電流が集中して流れ過熱状態になる場合がある。これは、多条敷設された各電線の接続の接触抵抗や他の条からの相互インダクタンスの影響により、インピーダンスのバラツキが生じるためと考えられる。
【０００３】
各条の電線に流れる負荷電流にアンバランスが生じると、特定の電線の電流が大きくなりその電線が焼損することがある。そこで、各条の電線の負荷電流にアンバランスが生じても、各電線が焼損が発生しないように電流容量の大きい電線を採用している。
【先行技術文献】
【特許文献】
【０００４】
【特許文献１】特開２００２−１２２６２７号公報
【発明の概要】
【発明が解決しようとする課題】
【０００５】
しかし、電流容量の大きい電線を採用するとコスト高になり、電線も太くなることから付設工事も難しくなる。
【０００６】
また、負荷の増設などで負荷電流が増加した場合、多条敷設の電線に対して不足分の電流容量の電線（条）を追加することになるが、追加する条の電線は、既設の電線と同じ電流容量の電線だけでなく、異なる電流容量の電線を追加することがあり、その場合であっても、各条の電線に流れる負荷電流にアンバランスが生じないようにしなければならない。
【０００７】
本発明の目的は、各電線に流れる電流がバランスするように各電線のインピーダンスを整合させ各電線に流れる電流のアンバランスを抑制できる電線インピーダンス整合装置を得ることである。
【課題を解決するための手段】
【０００８】
本発明は、電線インピーダンス整合装置は、ｎ（ｎ＝２、３、４、…）条の電線の１条めの電線からｎ条めの電線にそれぞれ形成された巻線と、ｉ（ｉ＝１、２、…ｎ−１）条めの電線と（ｉ＋１）条めの電線とに対して設けられ、前記ｉ条めの電線の第ｉ巻線を巻回するとともに、前記ｉ条めの電線の第ｉ巻線による磁束を打ち消す方向に前記（ｉ＋１）条めの電線の第（ｉ＋１）巻線を巻回する閉じた鉄心とを備えたことを特徴とする。
【０００９】
また、本発明は、電線インピーダンス整合装置は、中央部に貫通孔を有し前記貫通孔を貫通した電線の電流により磁気回路を形成する閉じた鉄心を設け、ｎ（ｎ＝２、３、４、…）条の電線の２つの電線の組合せｎＣ２のうちから必ずｎ条の各条の電線を含む少なくともｎ−１個の組合せを選択し、選択した２つの電線を組にして前記２つの電線の電流により発生する磁束が互いに打ち消される方向にそれぞれ組ごとに別々の前記鉄心の貫通孔に貫通させることを特徴とする。
【発明の効果】
【００１０】
本発明によれば、各電線に流れる電流がバランスするように各電線のインピーダンスを整合させ、各電線に流れる電流のアンバランスを抑制できる。
【図面の簡単な説明】
【００１１】
【図１】本発明の第１実施形態に係る電線インピーダンス整合装置を１相の電線が２条である電路に適用した場合の構成図。
【図２】電源から負荷までの電線が２条の電線の場合の電源電圧及び各条の電流の波形図。
【図３】図１（ｂ）に示す電路において２条の電線のインピーダンスの比率を変化させた場合の巻線のターン数と電流との関係を示すグラフ。
【図４】本発明の第１実施形態に係る電線インピーダンス整合装置を１相の電線が３条である電路に適用した場合の構成図。
【図５】本発明の第１実施形態に係る電線インピーダンス整合装置を１相の電線が３条である電路に適用した場合の他の一例の構成図。
【図６】本発明の第１実施形態に係る電線インピーダンス整合装置を１相の電線が３条〜６条である電路に適用した場合の閉じた鉄心と巻線との配置の説明図。
【図７】本発明の第１実施形態に係る電線インピーダンス整合装置を１相の電線が４条である場合の閉じた鉄心と巻線との配置の説明図。
【図８】本発明の第１実施形態に係る電線インピーダンス整合装置を１相の電線が５条である場合の閉じた鉄心と巻線との配置の説明図。
【図９】本発明の第１実施形態に係る電線インピーダンス整合装置を１相の電線が６条である場合の閉じた鉄心と巻線との配置の説明図。
【図１０】本発明の第２実施形態に係る電線インピーダンス整合装置を１相の電線が２条である電路に適用した場合の構成図。
【図１１】本発明の第２実施形態に係る電線インピーダンス整合装置を１相の電線が３条である電路に適用した場合の構成図。
【図１２】本発明の第２実施形態に係る電線インピーダンス整合装置を１相の電線が４条である電路に適用した場合の構成図。
【発明を実施するための形態】
【００１２】
以下、本発明の実施形態を説明する。図１は本発明の第１実施形態に係る電線インピーダンス整合装置を１相の電線が２条である電路に適用した場合の構成図である。図１（ａ）において、電源１１から１相分の電線１２により負荷１３に電力が供給される。１相分の電線１２は２条の電線１２１ａ、１２１ｂ（１２２ａ、１２２ｂ）で形成されている。すなわち、電源１１から負荷１３まで２条の電線１２１ａ、１２１ｂ、負荷１３から電源１１まで２条の電線１２２ａ、１２２ｂで形成されている。
【００１３】
１条めの電線１２１ａ、１２２ａは、負荷１３を挟んで、インダクタンスＬａ１、Ｌａ２、抵抗Ｒａ１、Ｒａ２を有し、第１巻線１４１ａ、１４２ａが設けられている。そして、第１巻線１４１ａは閉じた鉄心１５１に巻回され、第１巻線１４２ａは閉じた鉄心１５２に巻回されている。
【００１４】
同様に、２条めの電線１２１ｂ、１２２ｂは、負荷１３を挟んで、インダクタンスＬｂ１、Ｌｂ２、抵抗Ｒｂ１、Ｒｂ２を有し、第２巻線１４１ｂ、１４２ｂが設けられている。そして、第２巻線１４１ｂは閉じた鉄心１５１に巻回され、第２巻線１４２ｂは閉じた鉄心１５２に巻回されている。
【００１５】
この第１巻線１４１ａ（１４２ａ）、第２巻線１４１ｂ（１４２ｂ）及び閉じた鉄心１５１（１５２）にて、電線インピーダンス整合装置を構成している。
【００１６】
第１巻線１４１ａ（１４２ａ）と第２巻線１４１ｂ（１４２ｂ）とは、負荷電流Ｉ０が流れたときに磁束が打ち消す方向に巻回されている。負荷電流Ｉ０は第１巻線１４１ａに流れる電流Ｉａ１と第２巻線１４１ｂに流れる電流Ｉｂ１とに分流する。この場合、電線１２１ａ、１２１ｂ（１２２ａ、１２２ｂ）のインダクタンスＬａ１、Ｌｂ１（Ｌａ２、Ｌｂ２）、抵抗Ｒａ１、Ｒｂ１（Ｒａ２、Ｒｂ２）などの影響により、第１巻線１４１ａに流れる電流Ｉａ１と第２巻線１４１ｂに流れる電流Ｉｂ１との間に差分ΔＩ１（＝Ｉａ１−Ｉｂ１）が発生するが、電流Ｉａ１から生じた磁束Φａ１と電流Ｉｂ１から生じた磁束Φｂ１とが打ち消し合った結果として、電流Ｉａ１、Ｉｂ１はバランスする。
【００１７】
同様に、負荷１３に流れた負荷電流Ｉ０は、第１巻線１４２ａに流れる電流Ｉａ２と第２巻線１４２ｂに流れる電流Ｉｂ２とに分流し、その差分ΔＩ２（＝Ｉａ２−Ｉｂ２）が発生するが、電流Ｉａ２から生じた磁束Φａ２と電流Ｉｂ２から生じた磁束Φｂ２とが打ち消し合った結果として、電流Ｉａ２、Ｉｂ２はバランスする。従って、第１巻線１４１ａに流れる電流Ｉａ１と第２巻線１４１ｂに流れる電流Ｉｂ１とは等しくなり、同様に、第１巻線１４２ａに流れる電流Ｉａ２と第２巻線１４２ｂに流れる電流Ｉｂ２とは等しくなる。これにより、各条の電線１２１ａ、１２１ｂ（１２２ａ、１２２ｂ）に流れる電流のアンバランスを抑制できる。また、磁路である閉じた鉄心１５１、１５２の断面積は大きくする必要がない。
【００１８】
以上の説明では、電源１１から負荷１３までの電線１２（１２１ａ、１２１ｂ）及び負荷１３から電源１１までの電線１２（１２２ａ、１２２ｂ）の双方に電線インピーダンス整合装置を設けた場合について説明したが、以下の説明では、説明を簡単にするために、図１（ｂ）に示すように、電源１１から負荷１３までの電線１２につき電線インピーダンス整合装置を設けた場合について説明する。
【００１９】
図１（ｂ）は、電源１１から負荷１３までの電線１２が２条の電線１２ａ、１２ｂの場合であり、インダクタンスＬａ、Ｌｂ、抵抗Ｒａ、Ｒｂの電線１２（１２ａ、１２ｂ）につき、第１巻線１４ａ、第２巻線１４ｂ及び閉じた鉄心１５からなる電線インピーダンス整合装置を設けたものである。
【００２０】
前述したように、第１巻線１４ａと第２巻線１４ｂとは、負荷電流Ｉ０が流れたときに磁束が打ち消す方向に巻回されている。電源１１からの負荷電流Ｉ０は、第１巻線１４ａに流れる電流Ｉａと第２巻線１４ｂに流れる電流Ｉｂとに分流する。この場合、電線１２ａ、１２ｂのインダクタンスＬａ、Ｌｂ、抵抗Ｒａ、Ｒｂなどの影響により、第１巻線１４ａに流れる電流Ｉａと第２巻線１４ｂに流れる電流Ｉｂとの間に差分ΔＩ（＝Ｉａ−Ｉｂ）が発生するが、電流Ｉａから生じた磁束Φａと電流Ｉｂ１から生じた磁束Φｂとが打ち消し合った結果として、電流Ｉａ、Ｉｂはバランスする。
【００２１】
図２は、電源１１から負荷１３までの電線１２が２条の電線１２ａ、１２ｂの場合の電源電圧Ｖ、各条の電流Ｉａ、Ｉｂの波形図であり、図２（ａ）は電線インピーダンス整合装置を設けていない場合の波形図、図２（ｂ）は電線インピーダンス整合装置を設けた場合の波形図である。
【００２２】
図１（ｂ）に示す電路において、電線インピーダンス整合装置（第１巻線１４ａ、第２巻線１４ｂ及び閉じた鉄心１５）を設けなかった場合には、図２（ａ）に示すように、第１巻線１４ａに流れる電流Ｉａは、電線１２ａのインダクタンスＬａ、抵抗Ｒａの影響により、電源電圧Ｖに対し遅れ位相の電流となる。また、第２巻線１４ｂに流れる電流Ｉｂは、電線１２ｂのインダクタンスＬｂ、抵抗Ｒｂの影響により、電源電圧Ｖに対し遅れ位相の電流で、電流Ｉａよりも小さい値となる。このように、第１巻線１４ａに流れる電流Ｉａと第２巻線１４ｂに流れる電流Ｉｂとにアンバランスを生じる。
【００２３】
一方、図１（ｂ）に示す電路において、電線インピーダンス整合装置（第１巻線１４ａ、第２巻線１４ｂ及び閉じた鉄心１５）を設けた場合には、図２（ｂ）に示すように、第１巻線１４ａに流れる電流Ｉａ及び第２巻線１４ｂに流れる電流Ｉｂは、電源電圧Ｖと同相でほぼ同じ値となる。
【００２４】
これは、電線１２ａ、１２ｂのインダクタンスＬａ、Ｌｂ、抵抗Ｒａ、Ｒｂなどの影響により、第１巻線１４ａに流れる電流Ｉａと第２巻線１４ｂに流れる電流Ｉｂとの間に差分ΔＩ（＝Ｉａ−Ｉｂ）が発生しても、電線インピーダンス整合装置（第１巻線１４ａ、第２巻線１４ｂ及び閉じた鉄心１５）により、電流Ｉａから生じた磁束Φａと電流Ｉｂから生じた磁束Φｂとが打ち消し合った結果として、電流Ｉａ、Ｉｂはバランスするからである。
【００２５】
図３は、図１（ｂ）に示す電路において、２条の電線１２ａ、１２ｂのインピーダンスＺａ、Ｚｂの比率を変化させた場合の巻線１４ａ、１４ｂのターン数と、電流Ｉａ、Ｉｂとの関係を示すグラフである。図３では巻線１４ａ、１４ｂのターン数は同じ巻数である場合を示している。
【００２６】
図３において、Ｉ０（５）、Ｉａ（５）、Ｉｂ（５）は、２条の電線１２ａ、１２ｂのインピーダンスＺａ、Ｚｂの比率が５：１のときの負荷電流Ｉ０、第１巻線１４ａの電流Ｉａ、第２巻線１４ｂの電流Ｉｂである。また、Ｉ０（２）、Ｉａ（２）、Ｉｂ（２）は、２条の電線１２ａ、１２ｂのインピーダンスＺａ、Ｚｂの比率が２：１のときの負荷電流Ｉ０、第１巻線１４ａの電流Ｉａ、第２巻線１４ｂの電流Ｉｂである。同様に、Ｉ０（１．５）、Ｉａ（１．５）、Ｉｂ（１．５）は、２条の電線１２ａ、１２ｂのインピーダンスＺａ、Ｚｂの比率が１．５：１のときの負荷電流Ｉ０、第１巻線１４ａの電流Ｉａ、第２巻線１４ｂの電流Ｉｂである。
【００２７】
図３から分かるように、第１巻線１４ａの電流Ｉａ、第２巻線１４ｂの電流Ｉｂは、ターン数が小さいほど２条の電線１２ａ、１２ｂのインピーダンスＺａ、Ｚｂの比率の影響を受けることが分かる。そして、巻線１４ａ、１４ｂのターン数が２０ターンを越えると、２条の電線１２ａ、１２ｂのインピーダンスＺａ、Ｚｂの比率の影響をほとんど受けなくなる。
【００２８】
このことから、１条めの電線１２ａと２条めの電線１２ｂとが同じ電流容量であるときは、そのときの巻数は、第１巻線１４ａの巻数と第２巻線１４ｂの巻数とを同じ巻数で巻き、１条めの電線１２ａの電流と２条めの電線１２ｂの電流とが実用的に等しくなる巻数（例えば、２０ターン以上）とする。すなわち、ｉ条めの電線と（ｉ＋１）条めの電線とが同じ電流容量であるときは、ｉ巻線の巻数と第（ｉ＋１）巻線の巻数とは同じ巻数で巻く。そして、巻線の巻数は、ｉ条めの電線の電流と（ｉ＋１）条めの電線の電流とが実用的に等しくなる巻数とする。これにより、各電線に流れる電流がバランスするように各電線のインピーダンスを整合させることができ、各電線１２ａ、１２ｂに流れる電流Ｉａ、Ｉｂのアンバランスを抑制できる。
【００２９】
一方、ｉ条めの電線と（ｉ＋１）条めの電線とが異なる電流容量であるときは、第ｉ巻線の巻数と第（ｉ＋１）巻線の巻数とは電流容量に反比例した巻数比率で巻く。第ｉ巻線の巻数をＮｉ、電流容量をＡｉ、第（ｉ＋１）巻線の巻数をＮ（ｉ＋１）、電流容量をＡ（ｉ＋１）とすると、（１）式が成立し、（１）式から（２）式が導かれる。
【００３０】
Ｎｉ・Ａｉ＝Ｎ（ｉ＋１）・Ａ（ｉ＋１）  …（１）
Ａｉ／Ａ（ｉ＋１）  ＝Ｎ（ｉ＋１）／Ｎｉ  …（２）
（２）式から分かるように、電流容量Ａは巻数Ｎに反比例するので、第ｉ巻線の巻数と第（ｉ＋１）巻線の巻数とは電流容量に反比例した巻数比率で巻き、各電線１２ｉ、１２（ｉ＋１）のインピーダンスを電流容量比となるように整合させる。これにより、各電線１２ｉ、１２（ｉ＋１）に流れる電流Ｉｉ、Ｉ（ｉ＋１）をバランスさせる。この場合も、電線の巻数は、ｉ条めの電線の電流と（ｉ＋１）条めの電線の電流とが実用的に等しくなる巻数とする（例えば、２０ターン以上）。
【００３１】
以上の説明では、電線インピーダンス整合装置を１相の電線が２条である電路に適用した場合について説明したが、１相の電線が３条である電路についても同様に適用できる。図４は本発明の第１実施形態に係る電線インピーダンス整合装置を１相の電線が３条である電路に適用した場合の一例の構成図であり、図４（ａ）は閉じた鉄心１５ａｂ、１５ｂｃに対し２条めの電線１２ｂの巻線は個別の巻線１４ｂ１、１４ｂ２としたもの、図４（ｂ）は閉じた鉄心１５ａｂ、１５ｂｃに対し２条めの電線１２ｂの巻線は共通の巻線１４ｂとしたものである。
【００３２】
図４（ａ）において、１相分の電線１２は３条の電線１２ａ、１２ｂ、１２ｃで形成され、電源１１から負荷１３に電力が供給される。すなわち、電源１１から負荷１３に対して、負荷電流Ｉ０が３条の電線１２ａ、１２ｂ、１２ｃを経由して供給される。１条めの電線１２ａは、インダクタンスＬａ、抵抗Ｒａを有し、第１巻線１４ａが設けられて、その第１巻線１４ａは閉じた鉄心１５ａｂに巻回され、電流Ｉａが流れる。２条めの電線１２ｂは、インダクタンスＬｂ、抵抗Ｒｂを有し、第２巻線１４ｂ１、１４ｂ２が設けられ、第２巻線１４ｂ１は閉じた鉄心１５ａｂに巻回され、さらに、第２巻線１４ｂ２は閉じた鉄心１５ｂｃに巻回され、電流Ｉｂが流れる。３条めの電線１２ｃは、インダクタンスＬｃ、抵抗Ｒｃを有し、第３巻線１４ｃが設けられて、その第３巻線１４ｃは閉じた鉄心１５ｂｃに巻回され、電流Ｉｃが流れる。
【００３３】
このように、１条めの電線１２ａと２条めの電線１２ｂとに対して閉じた鉄心１５ａｂが設けられ、２条めの電線１２ｂと３条めの電線１２ｃとに対して閉じた鉄心１５ｂｃが設けられている。そして、鉄心１５ａｂには、１条めの電線１２ａの第１巻線１４ａを巻回するとともに、その第１巻線１４ａによる磁束を打ち消す方向に２条めの電線１２ｂの第２巻線１４ｂ１を巻回する。同様に、鉄心１５ｂｃには、２条めの電線１２ｂの第２巻線１４ｂ２を巻回するとともに、その第２巻線１４ｂ２による磁束を打ち消す方向に３条めの電線１２ｃの第３巻線１４ｃを巻回する。これにより、各電線１２ａ、１２ｂ、１２ｃに流れる電流がバランスするように各電線のインピーダンスを整合させることができ、各電線１２ａ、１２ｂ、１２ｃに流れる電流Ｉａ、Ｉｂ、Ｉｃのアンバランスを抑制できる。
【００３４】
図４（ｂ）において、図４（ａ）の２条めの電線１２ｂの第２巻線１４ｂ１、１４ｂ２に代えて、閉じた鉄心１５ａｂ、１５ｂｃには、共通の一つの第２巻線１４ｂが巻回されている。この場合も、図４（ａ）の場合と同様に、鉄心１５ａｂには、第１巻線１４ａによる磁束を打ち消す方向に第２巻線１４ｂが巻回され、鉄心１５ｂｃには、第２巻線１４ｂによる磁束を打ち消す方向に第３巻線１４ｃが巻回されるので、各電線１２ａ、１２ｂ、１２ｃに流れる電流がバランスするように各電線のインピーダンスを整合させることができ、各電線１２ａ、１２ｂ、１２ｃに流れる電流Ｉａ、Ｉｂ、Ｉｃのアンバランスを抑制できる。また、第２巻線１４ｂを一つの巻線とすることができるので構造を簡素化できる。
【００３５】
このように、ｉ条めの電線と（ｉ＋１）条めの電線とに対して閉じた鉄心１５ｉを設け、この鉄心１５ｉに、ｉ条めの電線の第ｉ巻線を巻回するとともに、そのｉ条めの電線の第ｉ巻線による磁束を打ち消す方向に（ｉ＋１）条めの電線の第（ｉ＋１）巻線を巻回する。ｉ条めの電線と（ｉ＋１）条めの電線とに対して閉じた鉄心１５ｉを設けることになるので、ｎ（ｎ＝２、３、４、…）条の電線に対し、閉じた鉄心１５は（ｎ−１）個となる。
【００３６】
ここで、１条めの電線と（ｎ−１）条めの電線とに対しても、図５に示すように、閉じた鉄心１５を設けるようにしてもよい。この場合は、閉じた鉄心１５はｎ個となる。図５では１相の電線が３条である電路を示している。
【００３７】
図５（ａ）に示すように、閉じた鉄心１５ａｂ、１５ｂｃに加え、閉じた鉄心１５ｃａを追加して設け、１条めの電線１２ａの巻線は個別の巻線１４ａ１、１４ａ２とし、２条めの電線１２ｂの巻線は個別の巻線１４ｂ１、１４ｂ２とし、３条めの電線１２ｃの巻線は個別の巻線１４ｃ１、１４ｃ２としている。
【００３８】
また、図５（ｂ）は、図５（ａ）のものに対し、各条の電線の巻線を共通の巻線としたものである。すなわち、閉じた鉄心１５ａｂ、１５ｂｃ、１５ｃａに対し、１条めの電線１２ａの巻線は共通の巻線１４ａとし、２条めの電線１２ｂの巻線は共通の巻線１４ｂとし、３条めの電線１２ｃの巻線は共通の巻線１４ｃとしている。
【００３９】
図５の場合、１条めの電線と（ｎ−１）条めの電線とに対しても、閉じた鉄心１５を設けるので、より安定的に精度よく、各電線１２ａ、１２ｂ、１２ｃに流れる電流がバランスするように各電線のインピーダンスを整合させることができ、各電線１２ａ、１２ｂ、１２ｃに流れる電流Ｉａ、Ｉｂ、Ｉｃのアンバランスを抑制できる。
【００４０】
次に、閉じた鉄心１５の配置について説明する。図６は１相の電線が３条である場合の閉じた鉄心１５と巻線１４との配置の説明図であり、図６（ａ）は図４（ｂ）に示した閉じた鉄心１５と巻線１４との配置の説明図、図６（ｂ）は図５（ｂ）に示した閉じた鉄心１５と巻線１４との配置の説明図である。
【００４１】
図６（ａ）に示すように、３条の電線の巻線１４ａ、１４ｂ、１４ｃに対し、２つの閉じた鉄心１５ａｂ、１５ｂｃを用意する。そして、閉じた鉄心１５ａｂに１条めの巻線１４ａを巻回し、閉じた鉄心１５ｂｃに３条めの巻線１４ｃを巻回し、さらに、２つの閉じた鉄心１５ａｂ、１５ｂｃに対し、２条めの電線の巻線を共通の巻線１４ｂとして巻回する。
【００４２】
また、図６（ｂ）に示すように、３条の電線の巻線１４ａ、１４ｂ、１４ｃに対し、３つの閉じた鉄心１５ａｂ、１５ｂｃ、１５ｃａを用意する。そして、閉じた鉄心１５ａｂ、１５ｃａに１条めの電線の巻線を共通の巻線１４ａとして巻回する。同様に、閉じた鉄心１５ａｂ、１５ｂｃには２条めの電線の巻線を共通の巻線１４ｂとして巻回し、閉じた鉄心１５ｂｃ、１５ｃａには３条めの電線の巻線を共通の巻線１４ｃとして巻回する。
【００４３】
図７は１相の電線が４条である場合の閉じた鉄心１５と巻線１４との配置の説明図であり、図７（ａ）は４条の電線に対し３つの閉じた鉄心でＹ型に配置した一例、図７（ｂ）は４条の電線に対し３つの閉じた鉄心でＹ型に配置した他の一例、図７（ｃ）は４条の電線に対し４つの閉じた鉄心でＯ型に配置した一例をそれぞれ示す。
【００４４】
図７（ａ）、図７（ｂ）に示すように、４条の電線の巻線１４ａ、１４ｂ、１４ｃ、１４ｄに対し、３つの閉じた鉄心１５ａｂ、１５ｂｃ、１５ｂｄを用意する。そして、閉じた鉄心１５ａｂに１条めの巻線１４ａを巻回し、閉じた鉄心１５ｂｃに３条めの巻線１４ｃを巻回し、閉じた鉄心１５ｂｄに４条めの巻線１４ｄを巻回し、さらに、３つの閉じた鉄心１５ａｂ、１５ｂｃ、１５ｂｄに対し、２条めの電線の巻線を共通の巻線１４ｂとして巻回する。
【００４５】
また、図７（ｃ）に示すように、４条の電線の巻線１４ａ、１４ｂ、１４ｃ、１４ｄに対し、４つの閉じた鉄心１５ａｂ、１５ｂｃ、１５ｃｄ、１５ｄａを用意する。そして、閉じた鉄心１５ａｂに１条めの電線の巻線１４ａ及び２条めの電線の巻線１４ｂを巻回し、閉じた鉄心１５ｂｃに２条めの電線の巻線１４ｂ及び３条めの電線の巻線１４ｃを巻回し、閉じた鉄心１５ｃｄに３条めの電線の巻線１４ｃ及び４条めの電線の巻線１４ｄを巻回し、閉じた鉄心１５ｄａに４条めの電線の巻線１４ｄ及び１条めの電線の巻線１４ａを巻回する。
【００４６】
図８は１相の電線が５条である場合の閉じた鉄心１５と巻線１４との配置の説明図であり、図８（ａ）は５条の電線に対し４つの閉じた鉄心でＸ型に配置した一例、図８（ｂ）は５条の電線に対し４つの閉じた鉄心で卍型に配置した一例をそれぞれ示す。
【００４７】
図８（ａ）、図８（ｂ）に示すように、５条の電線の巻線１４ａ、１４ｂ、１４ｃ、１４ｄ、１４ｅに対し、４つの閉じた鉄心１５ａｂ、１５ｂｃ、１５ｂｄ、１５ｂｅを用意する。そして、閉じた鉄心１５ａｂに１条めの巻線１４ａを巻回し、閉じた鉄心１５ｂｃに３条めの巻線１４ｃを巻回し、閉じた鉄心１５ｂｄに４条めの巻線１４ｄを巻回し、閉じた鉄心１５ｂｅに５条めの巻線１４ｅを巻回する。さらに、４つの閉じた鉄心１５ａｂ、１５ｂｃ、１５ｂｄ、１５ｂｅに対し、２条めの電線の巻線を共通の巻線１４ｂとして巻回する。
【００４８】
図９は１相の電線が６条である場合の閉じた鉄心１５と巻線１４との配置の説明図であり、図９（ａ）は６条の電線に対し５つの閉じた鉄心でＨ型に配置した一例、図９（ｂ）は６条の電線に対し６つの閉じた鉄心でＯ型に配置した一例をそれぞれ示す。
【００４９】
図９（ａ）に示すように、６条の電線の巻線１４ａ〜１４ｆに対し、５つの閉じた鉄心１５ａｂ、１５ｂｃ、１５ｂｅ、１５ｄｅ、１５ｅｆを用意する。そして、閉じた鉄心１５ａｂに１条めの巻線１４ａを巻回し、閉じた鉄心１５ｂｃに３条めの巻線１４ｃを巻回する。同様に、閉じた鉄心１５ｄｅに４条めの巻線１４ｄを巻回し、閉じた鉄心１５ｅｆに６条めの巻線１４ｆを巻回する。さらに、３つの閉じた鉄心１５ａｂ、１５ｂｃ、１５ｂｅに対し、２条めの電線の巻線を共通の巻線１４ｂとして巻回し、３つの閉じた鉄心１５ｄｅ、１５ｅｆ、１５ｂｅに対し、５条めの電線の巻線を共通の巻線１４ｅとして巻回する。
【００５０】
また、図９（ｂ）に示すように、６条の電線の巻線１４ａ〜１４ｆに対し、６つの閉じた鉄心１５ａｂ、１５ｂｃ、１５ｃｄ、１５ｄｅ、１５ｅｆ、１５ｆａを用意する。
【００５１】
そして、閉じた鉄心１５ａｂに１条めの電線の巻線１４ａ及び２条めの電線の巻線１４ｂを巻回し、閉じた鉄心１５ｂｃに２条めの電線の巻線１４ｂ及び３条めの電線の巻線１４ｃを巻回し、閉じた鉄心１５ｃｄに３条めの電線の巻線１４ｃ及び４条めの電線の巻線１４ｄを巻回する。以下同様に、輪環の順に、閉じた鉄心１５ｄｅに４条めの電線の巻線１４ｄ及び５条めの電線の巻線１４ｅを巻回し、閉じた鉄心１５ｅｆに５条めの電線の巻線１４ｅ及び６条めの電線の巻線１４ｆを巻回し、閉じた鉄心１５ｆａに６条めの電線の巻線１４ｆ及び１条めの電線の巻線１４ａを巻回する。
【００５２】
以上の説明では、電線１２に巻線１４を形成し、閉じた鉄心１５に、その電線１２の巻線１４を巻回するようにしたが、図１０に示すように、中央部に貫通孔１６を有した閉じた鉄心１５の貫通孔１６に電線１２を貫通させるようにしてもよい。この場合、鉄心１５に巻線を巻回する場合と同様に、電線１２の電流により発生する磁束が互いに打ち消される方向に、電線１２を閉じた鉄心１５の貫通孔１６に貫通させることになる。また、この場合は、電線１２に巻線１４を形成する必要がなくなるが、電線１２の電流により発生する磁束を確保するために、閉じた鉄心１５を大きく形成することになる。
【００５３】
図１０は、閉じた鉄心１５の貫通孔１６に電線１２を貫通させるようにした本発明の第２実施形態に係る電線インピーダンス整合装置を１相の電線が２条である電路に適用した場合の構成図である。
【００５４】
電源１１から負荷１３までの電線１２が２条の電線１２ａ、１２ｂであり、電線１２ａ、１２ｂは、インダクタンスＬａ、Ｌｂ、抵抗Ｒａ、Ｒｂを有している。電線インピーダンス整合装置は、貫通孔１６を有した１つの閉じた鉄心１５からなる。２つ電線１２ａ、１２ｂは、その２つの電線１２ａ、１２ｂの電流により発生する磁束が互いに打ち消される方向に鉄心１５の貫通孔１６に貫通させられる。
【００５５】
電源１１からの負荷電流Ｉ０は、電線１２ａに流れる電流Ｉａと電線１２ｂに流れる電流Ｉｂとに分流する。この場合、電線１２ａ、１２ｂのインダクタンスＬａ、Ｌｂ、抵抗Ｒａ、Ｒｂなどの影響により、電線１２ａに流れる電流Ｉａと電線１２ｂに流れる電流Ｉｂとの間に差分ΔＩ（＝Ｉａ−Ｉｂ）が発生するが、２つの電線１２ａ、１２ｂの電流により発生する磁束が互いに打ち消されるので、その差分ΔＩ（＝Ｉａ−Ｉｂ）は最終的に零に近づく。
【００５６】
従って、電線１２ａ、１２ｂに流れる電流がバランスするように各電線のインピーダンスを整合させることができ、電線１２ａ、１２ｂに流れる電流Ｉａ、Ｉｂのアンバランスを抑制できる。
【００５７】
図１１は、閉じた鉄心１５に電線１２を貫通させるようにした本発明の第２実施形態に係る電線インピーダンス整合装置を１相の電線が３条である電路に適用した場合の構成図であり、図１１（ａ）は２つの閉じた鉄心１５を設けた場合、図１１（ｂ）は３つの閉じた鉄心１５を設けた場合を示している。
【００５８】
図１１（ａ）において、電源１１から負荷１３までの電線１２が３条の電線１２ａ、１２ｂ、１２ｃであり、電線１２ａ、１２ｂ、１２ｃは、インダクタンスＬａ、Ｌｂ、Ｌｃ、抵抗Ｒａ、Ｒｂ、Ｒｃを有している。電線インピーダンス整合装置は、２つの閉じた鉄心１５ａｂ、１５ａｃからなり、２つの閉じた鉄心１５ａｂ、１５ａｃは、貫通孔１６ａｂ、１６ａｃを有している。
【００５９】
鉄心１５ａｂの貫通孔１６ａｂには電線１２ａ、１２ｂが貫通し、鉄心１５ａｃの貫通孔１６ａｃには電線１２ａ、１２ｃが貫通している。すなわち、３条の電線１２ａ、１２ｂ、１２ｃの２つの電線の組合せは、３Ｃ２により、３個の組合せ（１２ａと１２ｂ、１２ａと１２ｃ、１２ｂと１２ｃ）となる。この３個の組合せ（１２ａと１２ｂ、１２ａと１２ｃ、１２ｂと１２ｃ）のうちから、２個の組合せを選択する。
【００６０】
図１１（ａ）では、２個の組合せ（１２ａと１２ｂ、１２ａと１２ｃ）を選択した場合を示している。そして、選択した２個の電線の組合せのうち、鉄心１５ａｂの貫通孔１６ａｂには電線１２ａ、１２ｂを貫通させ、鉄心１５ａｃの貫通孔１６ａｃには電線１２ａ、１２ｃを貫通させている。なお、２つの電線の組合せは、（１２ａと１２ｂ、１２ａと１２ｃ）に代えて、（１２ａと１２ｂ、１２ｂと１２ｃ）または（１２ａと１２ｃ、１２ｂと１２ｃ）の組合せであってもよい。
【００６１】
２つ電線１２ａ、１２ｂ（１２ａ、１２ｃ）は、その２つの電線１２ａ、１２ｂ（１２ａ、１２ｃ）の電流により発生する磁束が互いに打ち消される方向に鉄心１５ａｂ（１５ａｃ）の貫通孔１６ａｂ（１６ａｃ）に貫通させられる。
【００６２】
電源１１からの負荷電流Ｉ０は、電線１２ａに流れる電流Ｉａ、電線１２ｂに流れる電流Ｉｂ、電線１２ｃに流れる電流Ｉｃに分流する。この場合、電線１２ａ、１２ｂ、１２ｃのインダクタンスＬａ、Ｌｂ、Ｌｃ、抵抗Ｒａ、Ｒｂ、Ｒａなどの影響により、電線１２ａに流れる電流Ｉａ、電線１２ｂに流れる電流Ｉｂ、電線１２ｃに流れる電流Ｉｃの間に差分ΔＩａｂ（＝Ｉａ−Ｉｂ）｛ΔＩｃａ（＝Ｉｃ−Ｉａ）｝が発生するが、２つの電線１２ａ、１２ｂ（１２ａ、１２ｃ）の電流により発生する磁束が互いに打ち消されるので、その差分ΔＩａｂ（＝Ｉａ−Ｉｂ）｛ΔＩｃａ（＝Ｉｃ−Ｉａ）｝は最終的に零に近づく。
【００６３】
従って、電線１２ａ、１２ｂ、１２ｃに流れる電流がバランスするように各電線のインピーダンスを整合させることができ、電線１２ａ、１２ｂ、１２ｃに流れる電流Ｉａ、Ｉｂ、Ｉｃのアンバランスを抑制できる。
【００６４】
図１１（ｂ）において、電源１１から負荷１３までの３条の電線１２ａ、１２ｂ、１２ｃは、インダクタンスＬａ、Ｌｂ、Ｌｃ、抵抗Ｒａ、Ｒｂ、Ｒｃを有している。電線インピーダンス整合装置は、３つの閉じた鉄心１５ａｂ、１５ｂｃ、１５ａｃからなり、３つの閉じた鉄心１５ａｂ、１５ｂｃ、１５ａｃは、貫通孔１６ａｂ、１６ｂｃ、１６ａｃを有している。
【００６５】
鉄心１５ａｂの貫通孔１６ａｂには電線１２ａ、１２ｂが貫通し、鉄心１５ｂｃの貫通孔１６ｂｃには電線１２ａ、１２ｃが貫通し、鉄心１５ａｃの貫通孔１６ａｃには電線１２ａ、１２ｃが貫通している。前述したように、３条の電線１２ａ、１２ｂ、１２ｃの２つの電線の組合せは、３個の組合せ（１２ａと１２ｂ、１２ａと１２ｃ、１２ｂと１２ｃ）となるが、図１１（ａ）では、この３個の組合せ（１２ａと１２ｂ、１２ａと１２ｃ、１２ｂと１２ｃ）を選択する。
【００６６】
２つ電線１２ａ、１２ｂ｛（１２ｂ、１２ｃ）、（１２ａ、１２ｃ）｝は、その２つの電線１２ａ、１２ｂ｛（１２ｂ、１２ｃ）、（１２ａ、１２ｃ）｝の電流により発生する磁束が互いに打ち消される方向に鉄心１５ａｂ｛（１５ｂｃ）、（１５ａｃ）｝の貫通孔１６ａｂ｛（１６ｂｃ）、（１６ａｃ）｝に貫通させられる。
【００６７】
電源１１からの負荷電流Ｉ０は、電線１２ａに流れる電流Ｉａ、電線１２ｂに流れる電流Ｉｂ、電線１２ｃに流れる電流Ｉｃに分流する。この場合、電線１２ａ、１２ｂ、１２ｃのインダクタンスＬａ、Ｌｂ、Ｌｃ、抵抗Ｒａ、Ｒｂ、Ｒａなどの影響により、電線１２ａに流れる電流Ｉａ、電線１２ｂに流れる電流Ｉｂ、電線１２ｃに流れる電流Ｉｃのそれぞれの間に差分が発生するが、２つの電線１２ａ、１２ｂ｛（１２ｂ、１２ｃ）、（１２ａ、１２ｃ）｝の電流により発生する磁束が互いに打ち消されるので、それらの差分は最終的に零に近づく。
【００６８】
従って、電線１２ａ、１２ｂ、１２ｃに流れる電流がバランスするように各電線のインピーダンスを整合させることができ、電線１２ａ、１２ｂ、１２ｃに流れる電流Ｉａ、Ｉｂ、Ｉｃのアンバランスを抑制できる。
【００６９】
図１２は、閉じた鉄心１５に電線１２を貫通させるようにした本発明の第２実施形態に係る電線インピーダンス整合装置を１相の電線が４条である電路に適用した場合の構成図であり、図１２（ａ）は３つの閉じた鉄心１５の貫通孔１６に特定の電線を共通に貫通させた場合、図１２（ｂ）は３つの閉じた鉄心１５の貫通孔１６に輪環の順で選択した２つの電線を貫通させた場合を示している。
【００７０】
図１２（ａ）において、電源１１から負荷１３までの電線１２が４条の電線１２ａ、１２ｂ、１２ｃ、１２ｄであり、電線１２ａ、１２ｂ、１２ｃ、１２ｄは、インダクタンスＬａ、Ｌｂ、Ｌｃ、Ｌｄ、抵抗Ｒａ、Ｒｂ、Ｒｃ、Ｒｄを有している。電線インピーダンス整合装置は、３つの閉じた鉄心１５ａｂ、１５ａｃ、１５ａｄからなり、３つの閉じた鉄心１５ａｂ、１５ａｃ、１５ａｄは、貫通孔１６ａｂ、１６ａｃ、１６ａｄを有している。
【００７１】
鉄心１５ａｂの貫通孔１６ａｂには電線１２ａ、１２ｂが貫通し、鉄心１５ａｃの貫通孔１６ａｃには電線１２ａ、１２ｃが貫通し、鉄心１５ａｄの貫通孔１６ａｄには電線１２ａ、１２ｄが貫通している。すなわち、鉄心１５ａｂの貫通孔１６ａｂ、鉄心１５ａｃの貫通孔１６ａｃ、鉄心１５ａｄの貫通孔１６ａｄには、電線１２ａが共通に貫通している。
【００７２】
４条の電線１２ａ、１２ｂ、１２ｃ、１２ｄの２つの電線の組合せは、４Ｃ２により、６個の組合せ（１２ａと１２ｂ、１２ａと１２ｃ、１２ａと１２ｄ、１２ｂと１２ｃ、１２ｂと１２ｄ、１２ｃと１２ｄ）となるが、図１２（ａ）では、このうちから、電線１２ａが共通に貫通する３個の組合せ（１２ａと１２ｂ、１２ａと１２ｃ、１２ａと１２ｄ）を選択した場合を示している。
【００７３】
そして、２つ電線１２ａ、１２ｂ｛（１２ａ、１２ｃ）、（１２ａ、１２ｄ）｝は、その２つの電線１２ａ、１２ｂ｛（１２ａ、１２ｃ）、（１２ａ、１２ｄ）｝の電流により発生する磁束が互いに打ち消される方向に鉄心１５ａｂ｛（１５ａｃ）、（１５ａｄ）｝の貫通孔１６ａｂ｛（１６ａｃ）、（１６ａｄ）｝に貫通させられる。
【００７４】
電源１１からの負荷電流Ｉ０は、電線１２ａに流れる電流Ｉａ、電線１２ｂに流れる電流Ｉｂ、電線１２ｃに流れる電流Ｉｃ、電線１２ｄに流れる電流Ｉｄに分流する。この場合、電線１２ａ、１２ｂ、１２ｃ、１２ｄのインダクタンスＬａ、Ｌｂ、Ｌｃ、抵抗Ｒａ、Ｒｂ、Ｒａなどの影響により、電線１２ａに流れる電流Ｉａ、電線１２ｂに流れる電流Ｉｂ、電線１２ｃに流れる電流Ｉｃ、電線１２ｄに流れる電流Ｉｄのそれぞれの間に差分が発生するが、２つの電線１２ａ、１２ｂ｛（１２ａ、１２ｃ）、（１２ａ、１２ｄ）｝の電流により発生する磁束が互いに打ち消されるので、それらの差分は最終的に零に近づく。
【００７５】
従って、電線１２ａ、１２ｂ、１２ｃ、１２ｄに流れる電流がバランスするように各電線のインピーダンスを整合させることができ、電線１２ａ、１２ｂ、１２ｃ、１２ｄに流れる電流Ｉａ、Ｉｂ、Ｉｃ、Ｉｄのアンバランスを抑制できる。
【００７６】
図１２（ｂ）において、  鉄心１５ａｂの貫通孔１６ａｂには電線１２ａ、１２ｂが貫通し、鉄心１５ｂｃの貫通孔１６ｂｃには電線１２ｂ、１２ｃが貫通し、鉄心１５ｃｄの貫通孔１６ｃｄには電線１２ｃ、１２ｄが貫通している。すなわち、鉄心１５ａｂの貫通孔１６ａｂ、鉄心１５ｂｃの貫通孔１６ｂｃ、鉄心１５ｃｄの貫通孔１６ｃｄには、輪環の順で選択した２つの電線１２ａ、１２ｂ｛（１２ｂ、１２ｃ）、（１２ｃ、１２ｄ）｝が貫通している。前述したように、４条の電線１２ａ、１２ｂ、１２ｃ、１２ｄの２つの電線の組合せは、６個の組合せ（１２ａと１２ｂ、１２ａと１２ｃ、１２ａと１２ｄ、１２ｂと１２ｃ、１２ｂと１２ｄ、１２ｃと１２ｄ）となるが、図１２（ｂ）では、このうちから、輪環の順で選択した２つの電線１２ａ、１２ｂ｛（１２ｂ、１２ｃ）、（１２ｃ、１２ｄ）｝を選択した場合を示している。
【００７７】
２つ電線１２ａ、１２ｂ｛（１２ｂ、１２ｃ）、（１２ｃ、１２ｄ）｝は、その２つの電線１２ａ、１２ｂ｛（１２ｂ、１２ｃ）、（１２ｃ、１２ｄ）｝の電流により発生する磁束が互いに打ち消される方向に鉄心１５ａｂ｛（１５ｂｃ）、（１５ｃｄ）｝の貫通孔１６ａｂ｛（１６ｂｃ）、（１６ｃｄ）｝に貫通させられる。これにより、電線１２ａ、１２ｂ、１２ｃ、１２ｄに流れる電流がバランスするように各電線のインピーダンスを整合させることができ、電線１２ａ、１２ｂ、１２ｃ、１２ｄに流れる電流Ｉａ、Ｉｂ、Ｉｃのアンバランスを抑制できる。
【００７８】
以上の説明では、１つの電線１２ａが共通する２つ電線の３個の組合せ（１２ａと１２ｂ、１２ａと１２ｃ、１２ａと１２ｄ）、輪環の順で選択した２つ電線の３個の組合せ（１２ａと１２ｂ、１２ｂと１２ｃ、１２ｃと１２ｄ）について説明したが、必ず４条の各条の電線１２ａ、１２ｂ、１２ｃ、１２ｄを含む２つ電線の３個の組合せを選択するようにする。
【００７９】
例えば、４条の各条の電線１２ａ、１２ｂ、１２ｃ、１２ｄの２個の組合せは、６個りの組合せ（１２ａと１２ｂ、１２ａと１２ｃ、１２ａと１２ｄ、１２ｂと１２ｃ、１２ｂと１２ｄ、１２ｃと１２ｄ）となるが、このうち、例えば、２つ電線の３個の組合せ（１２ｂと１２ｃ、１２ｂと１２ｄ、１２ｃと１２ｄ）は電線１２ａが含まれていないので、この組合せは除外する。以下同様に、電線１２ｂが含まれていない（１２ａと１２ｃ、１２ａと１２ｄ、１２ｃと１２ｄ）、電線１２ｃが含まれていない（１２ａと１２ｂ、１２ａと１２ｄ、１２ｂと１２ｄ）、電線１２ｄが含まれていない（１２ａと１２ｂ、１２ａと１２ｃ、１２ｂと１２ｃ）の組合せは除外し選択しない。
【００８０】
このように、ｎ（ｎ＝２、３、４、…）条の電線の２つの電線の組合せは、ｎＣ２のうちから必ずｎ条の各条の電線を含む少なくともｎ−１個の組合せを選択し、選択した２つの電線を組にして、２つの電線の電流により発生する磁束が互いに打ち消される方向にそれぞれ組ごとに別々の鉄心の貫通孔に貫通させる。
【００８１】
ここで、第２実施形態の場合には、電流容量が異なる電線に対しては、閉じた鉄心１５の鉄心の枚数（鉄心の大きさ）を変化させて、電流容量が異なる電線に対して負荷電流にアンバランスが生じないようにする。
【００８２】
一般に、電線の多条敷設は大容量の場合に採用され、低圧の大容量幹線としてバスダクト等と競合するが、多条敷設の方が施工性やコスト面では有利となる。また、近年の地球温暖化対策として電路から発生する電力ロスを低減させるため、電線業界では環境配慮対応の許容電流の提案を行っており、IEC（International Electrotechnical Commission、IEC）化への動きを見せている。この場合、新設であれば、その電流に対応した電線サイズの選定を行うが、既設の場合には電線を引き替えるか、既設配線に並列に配線を接続することになる。
【００８３】
本発明の実施形態では、鉄心の巻数比、または鉄心の大きさを変化させることで、並列に接続される電線サイズと既設配線の電線サイズに応じた電流負担ができるので、電線の電流容量が異なる場合であっても、合理的に低コストで対応できる。また、電流検出部を必要とせずに、多条敷設した電線の電流のアンバランスを抑制できるので低コストで実現できる。
【００８４】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
１１…電源、１２…電線、１３…負荷、１４…巻線、１５…鉄心、１６…貫通孔
【図１】
2014230316.tif 000003
【図２】
2014230316.tif 000004
【図３】
2014230316.tif 000005
【図４】
2014230316.tif 000006
【図５】
2014230316.tif 000007
【図６】
2014230316.tif 000008
【図７】
2014230316.tif 000009
【図８】
2014230316.tif 000010
【図９】
2014230316.tif 000011
【図１０】
2014230316.tif 000012
【図１１】
2014230316.tif 000013
【図１２】
2014230316.tif 000014